(57)【要約】【課題】内容物注出時に外気などが入り込むことを防止して再封止が可能なスパウト付き収容体を提供する。【解決手段】本発明のスパウト付き収容体１は、収容本体１ａとスパウト５とを有する。スパウト５は、内容物を外部に注出するための注出口部６と、収容本体１ａに取着される取着部７とを備え、注出口部６内には、内容物が注出される注出端部と、前記注出端部へ向けて内容物を案内する案内流路を形成するガイド部１０Ａとを有するガイド部材１０が配設され、ガイド部材１０の注出端部には、弾性変形することによりスリット２０ａを開放する弾性体２０が設けられる。ガイド部材１０の注出端部内には、収容本体１ａに対する外圧に伴う内容物の押圧力によって移動し、弾性体２０を押圧してスリット２０ａを開放する押圧体が設けられる。【選択図】図１
2011201555.tif 000002
【特許請求の範囲】
【請求項１】
シート状部材を重ねて周囲を溶着することにより内容物を収容するための収容部を形成する収容本体と、前記収容本体に取着されて内容物を取り出し可能にするスパウトとを有するスパウト付き収容体であって、
前記スパウトは、内容物を外部に注出するための注出口部と、収容本体に取着される取着部とを備え、
前記注出口部内には、内容物が注出される注出端部と、前記注出端部へ向けて内容物を案内する案内流路を形成するガイド部とを有するガイド部材が配設され、
前記ガイド部材の注出端部には、スリットが形成され、弾性変形することにより前記スリットを開放する弾性体が設けられ、
前記ガイド部材の注出端部内には、前記収容本体に対する外圧に伴う前記内容物の押圧力によって移動し、前記弾性体を押圧してスリットを開放する押圧体が設けられることを特徴とするスパウト付き収容体。
【請求項２】
前記ガイド部材の前記注出端部には、前記押圧体が嵌入される嵌入口部が形成され、前記嵌入口部は、前記押圧体の移動によって開放されて内容物の注出流路を確保することを特徴とする請求項１に記載のスパウト付き収容体。
【請求項３】
前記ガイド部材の前記注出端部は、前記収容本体内の内容物を前記嵌入口部へと案内するためのガイド手段を更に有することを特徴とする請求項２に記載のスパウト付き収容体。
【請求項４】
所定の内容物を収容する収容容器の注出口部に着脱自在に取り付けられる栓体であって、
内容物が注出される注出端部と、前記注出端部へ向けて前記収容容器内の内容物を案内する案内流路を形成するガイド部とを有するガイド部材を内部に有し、
前記ガイド部材の注出端部には、スリットが形成され、弾性変形することにより前記スリットを開放する弾性体が設けられ、
前記ガイド部材の注出端部内には、前記収容容器に対する外圧に伴う前記内容物の押圧力によって移動し、前記弾性体を押圧してスリットを開放する押圧体が設けられることを特徴とする栓体。
【請求項５】
前記ガイド部材の前記注出端部には、前記押圧体が嵌入される嵌入口部が形成され、前記嵌入口部は、前記押圧体の移動によって開放されて内容物の注出流路を確保することを特徴とする請求４に記載の栓体。
【請求項６】
前記収容容器内の内容物を前記嵌入口部へと案内するためのガイド手段を更に有することを特徴とする請求項５に記載の栓体。
【発明の詳細な説明】
【技術分野】
【０００１】
本発明は、内容物を取り出し可能にするスパウトを取着したスパウト付き収容体に係わり、特に、スパウト構造に特徴を有するスパウト付き収容体に関する。また、本発明は、前記特徴的なスパウト構造を有する栓体に関する。
【背景技術】
【０００２】
従来、例えば合成樹脂製のシート（プラスチックフイルムなど）を重ねて溶着（熱溶着）すると共に、これにスパウトと称される注出口を溶着（熱溶着）したスパウト付き収容体が知られている（例えば、特許文献１参照）。このようなスパウト付き収容体は、内部（収容部）に液体や半流動体などの内容物を充填し、スパウトを介して内容物が注出されるようになっており、医療分野、食品分野、日用品分野等、様々な分野で使用されている。
【０００３】
また、上記したスパウト付きの収容体では、内容物を取り出した後、再封止できるように、キャップのような閉塞体を設けることが行われている。
【先行技術文献】
【特許文献】
【０００４】
【特許文献１】特開平１０−２９１５４９号
【発明の概要】
【発明が解決しようとする課題】
【０００５】
上記したようなスパウト付きの収容体を利用するに際し、特定の分野では、スパウトを介して内容物を取り出す際に、収容部内に外気などが入り込むのを防止したいことがある。これは、外気が入り込むことで内容物と反応し、内容物の性質が変化してしまう可能性があるためである。
【０００６】
従来のような閉塞体を有するスパウトでは、使用時において、閉塞体を外し、そのまま内容物を注出した後、再び閉塞体を取着しても、閉塞体を開封して注出操作をする際に、必然的に外気が収容部に入り込んでしまう。
【０００７】
本発明は、上記した問題に着目してなされたものであり、内容物注出時に外気などが入り込むことを防止して再封止が可能なスパウト付き収容体および栓体を提供することを目的とする。
【課題を解決するための手段】
【０００８】
上記した目的を達成するために、本発明は、シート状部材を重ねて周囲を溶着することにより内容物を収容するための収容部を形成する収容本体と、前記収容本体に取着されて内容物を取り出し可能にするスパウトとを有するスパウト付き収容体であって、前記スパウトは、内容物を外部に注出するための注出口部と、収容本体に取着される取着部とを備え、前記注出口部内には、内容物が注出される注出端部と、前記注出端部へ向けて内容物を案内する案内流路を形成するガイド部とを有するガイド部材が配設され、前記ガイド部材の注出端部には、スリットが形成され、弾性変形することにより前記スリットを開放する弾性体が設けられ、前記ガイド部材の注出端部内には、前記収容本体に対する外圧に伴う前記内容物の押圧力によって移動し、前記弾性体を押圧してスリットを開放する押圧体が設けられることを特徴とする。
【０００９】
上記した構造によれば、ガイド部材の注出端部の弾性体は、収容本体に対する外圧に伴う内容物の押圧力によって移動する押圧体により弾性的に押圧されて、弾性体に形成されているスリットを開放する。スリットが開放することで、スリットを通じて内容物の注出が可能となる。一方、収容本体に対する外圧が解除されると、押圧体による押圧力が解除され、弾性体の弾性復元力によってスリットが閉じて注出流路が封止される。そのため、スパウトを介して内容物を取り出す際に、外部から気体や液体などが収容本体内に流入し、内容物の性質が変化してしまうといった事態を防止できる。つまり、前記押圧時には、流路内部に内容物が飽和状態となっており、また、圧力減少と同時に閉塞機能が作用するため、外部からの流路内への外気等の流入の防止が図れる。
【００１０】
上記した構成において、前記ガイド部材の前記注出端部には、前記押圧体が嵌入される嵌入口部が形成され、前記嵌入口部は、前記押圧体の移動によって開放されて内容物の注出流路を確保することが好ましい。
【００１１】
このような構成では、スリットと嵌入口部とによって内容物の流路開閉が２段階で行なわれることにより（二重の流路開閉部を設けることにより）、シール性を高めて、収容本体内への外気等の流入を効果的に防止できる。
【００１２】
また、上記した構成においては、前記収容本体内の内容物を前記嵌入口部へと案内するためのガイド手段を更に有することが好ましい。
【００１３】
このような構成では、ガイド手段によって内容物が嵌入口部へと確実に案内されるため、嵌入口部、ひいてはスリットを効率的に開放でき、内容物を無駄なく注出できる。
【００１４】
また、上記した目的を達成するために、本発明は、所定の内容物を収容する収容容器の注出口部に着脱自在に取り付けられる栓体を提供するのであり、前記栓体は、内容物が注出される注出端部と、前記注出端部へ向けて前記収容容器内の内容物を案内する案内流路を形成するガイド部とを有するガイド部材を内部に有し、前記ガイド部材の注出端部には、スリットが形成され、弾性変形することにより前記スリットを開放する弾性体が設けられ、前記ガイド部材の注出端部内には、前記収容容器に対する外圧に伴う前記内容物の押圧力によって移動し、前記弾性体を押圧してスリットを開放する押圧体が設けられることを特徴とする。
【００１５】
この栓体によれば、前述した特徴を有する構造を既存の任意の容器に自在に適用することが可能となる。
【発明の効果】
【００１６】
本発明によれば、内容物注出時に外気などが入り込むことを防止して再封止が可能なスパウト付き収容体および栓体が得られるようになる。
【図面の簡単な説明】
【００１７】
【図１】本発明に係るスパウト付き収容体の一実施形態を示す図であり、主要構造を示す一部破断された概略斜視図。
【図２】（ａ）は弾性体が取り外されたガイド部材を示すスパウト付き収容体のスパウトの注出口部の一部破断された要部斜視図、（ｂ）は弾性体の斜視図、（ｃ）は押圧体の斜視図。
【図３】ガイド部材の注出端部に押圧体と弾性体とを組み込む状態を示す要部分解斜視図。
【図４】ガイド部材の注出端部に押圧体と弾性体とを組み込んだ状態を示す要部概略斜視図。
【図５】ガイド部材の注出端部に押圧体と弾性体とを組み込んだ状態を示す概略断面図。
【図６】（ａ）はスリットを通じて内容物が注出される様子を示す弾性体の概略平面図、（ｂ）は移動する押圧体およびスリットを通じて内容物が注出される様子を示す概略断面図。
【図７】本発明に係る栓体の一実施形態を示す図であり、栓体を収容容器に取り付けた状態を示す概略斜視図。
【発明を実施するための形態】
【００１８】
以下、図面を参照しながら本発明の実施形態について説明する。  
【００１９】
図１から図６は、本発明に係るスパウト付き収容体の一実施形態を示す図であり、図１は、スパウト付き収容体の主要構造を示す一部破断された概略斜視図、図２（ａ）は、弾性体が取り外されたガイド部材を示すスパウト付き収容体のスパウトの注出口部の一部破断された要部斜視図、図２（ｂ）は、弾性体の斜視図、図２（ｃ）は、押圧体の斜視図、図３は、ガイド部材の注出端部に押圧体と弾性体とを組み込む状態を示す要部分解斜視図、図４は、ガイド部材の注出端部に押圧体と弾性体とを組み込んだ状態を示す要部概略斜視図、図５は、ガイド部材の注出端部に押圧体と弾性体とを組み込んだ状態を示す概略断面図、図６（ａ）はスリットを通じて内容物が注出される様子を示す弾性体の概略平面図、図６（ｂ）は移動する押圧体およびスリットを通じて内容物が注出される様子を示す概略断面図である。
【００２０】
図１は、スパウト付き収容体１の略上半部を示している。スパウト付き収容体１の収容本体１ａは、例えば合成樹脂のような比較的柔軟な材質で構成されているシート状部材８ａ，８ｂを重ね、これを周囲で溶着（熱溶着）することによって形成されている。この場合、溶着部分は、斜線部３で示されており、それ以外の部分が袋状になって、例えば流体状の内容物が収容される収容部Ｓを形成する。ここで、収容本体１ａについては、その全体形状、大きさ、溶着領域等について、特に限定されることはなく、各種のものが含まれる。例えば、収容本体１ａの全体形状としては、底面部を有して直立可能ないわゆる自立体容器、あるいは、２枚のシート状部材８ａ，８ｂの周囲領域を溶着しただけのいわゆる三方体等が含まれる。
【００２１】
そして、シート状部材８ａ，８ｂが溶着される際、その上端部には、内容物を取り出し可能にするスパウト５が溶着される。このスパウト５は、合成樹脂等によって予め一体成形されており、２枚のシート状部材８ａ，８ｂの上端部を溶着する際、その間に介在されて取着される。スパウト５は、収容本体１ａから外部に突出して内容物を外部に注出するための筒状の注出口部６と、収容本体１ａの各シート状部材に取着される断面略楕円形状の取着部７とを備えている。
【００２２】
なお、前記シート状部材８ａ，８ｂは、前述したように柔軟性を有する合成樹脂製のシート（プラスチックフイルム）であり、例えば、溶着し易いようにポリエチレンやポリプロピレンなどによって構成され、公知のように、その表面側に、内容物に対するバリア性（ガスバリア性および遮光性）を高めるように、ナイロン、アルミホイルなどを積層した、いわゆる複合層で構成されることが好ましい。
【００２３】
また、本実施形態のスパウト５には、前記注出口部６内に、流出方向に沿って延出するガイド部材１０が一体形成されている。ガイド部材１０は、注出口部６の基部で収容本体１ａの内部を外部に対して密閉するシール体１０Ｂと、収容本体１ａ内の内容物を注出させるための例えば略球状の注出端部１０Ｃ（図２参照）と、シール体１０Ｂを貫通して収容本体１ａの内部と連通するとともに注出端部１０Ｃへ向けて内容物を案内する案内流路１２（図３から図５参照）を具備するガイド部１０Ａとを有する。
【００２４】
前記ガイド部材１０は、注出端部１０Ｃが注出口部６の上端開口６ａ付近に位置するように、スパウト５とともに一体成形される。この場合、注出端部１０Ｃを略球形状としたことで、型成形する際に金型が抜き易くなる。なお、ガイド部材１０については、スパウト５と別体として形成しておき、注出口部６に対して嵌入、固定するような構造であっても良い。また、このような構造では、ガイド部材１０のシール体１０Ｂは、注出口部に嵌入し易いように、ゴム等の弾性体によって形成しても良い。
【００２５】
前記ガイド部材１０Ａの注出端部１０Ｃには、弾性変形可能な弾性体２０が被着されている。具体的には、弾性体２０は、注出端部１０Ｃの形状に合わせて略球状の外形を有する中空状のゴムキャップとして形成されており、図２（ｂ）に示すように、下側開口部２０ｂと、弾性を有する上端閉塞膜２１とを有する。そして、上端閉塞膜２１には、弾性的に拡開可能となるようにスリット２０ａが形成されており、前記下側開口部２０ｂを通じて弾性体２０をガイド部材１０の注出端部１０Ｃの外周に被嵌装着されるようになっている。実際に弾性体２０を注出端部１０Ｃの外周に被嵌装着すると、上端閉塞膜２１が注出端部１０Ｃの上端開口１９を覆う状態となり、上端開口１９を閉塞する。
【００２６】
図３から図５に示されるように、ガイド部材１０の注出端部１０Ｃ内には、収容本体１ａに対する外圧に伴う内容物の押圧力によって移動可能な押圧体３０が設けられている。この押圧体３０は、内容物の押圧力によって移動することにより、前記弾性体２０（詳細には、上端閉塞膜２１）を押圧して、そこに形成されているスリット２０ａを開放する機能を有する。具体的には、押圧体３０は、例えば、合成樹脂等によって一体成形されており、図２（ｃ）および図３に示されるように、円形ディスク状の本体部３０ｂと、本体部３０ｂから下側に向けて先細るように延びる略三角錐状の嵌入部３０ａとを有し、前記本体部３０ｂの上面には、押圧体３０が移動した際、上端閉塞膜２１に当て付いて前記スリット２０ａを開放する押圧部３２と、スリット２０ａを開放した際に、内容物を通過させる流路（隙間）３５が形成されている。
【００２７】
前記押圧部３２は、本体部３０ｂの上面部において、周方向に所定間隔（略１８０度間隔）をおいて突出形成されており、スリット２０ａの延出方向に対して略直交する方向に沿って一対形成されている。具体的に、押圧部３２は、本体部３０ｂの上面から略垂直上方に向けて突設されており、その上面は、径方向内側へ向けて斜め上方に延びる押圧作用部としてのテーパ部３２ａを具備している。
【００２８】
また、前記流路３５は、本体部３０ｂの上面から略垂直上方に向けて突設された突部３３と前記押圧部３２の隙間によって規定されている。すなわち、突部３３は、スリット２０ａの延出方向に沿って一対形成されており、前記押圧部３２との間で、略十字形状の流路（隙間）３５を形成するようになっている。この場合、突部３３の上面は、押圧体３０が移動しても、上端閉塞膜２１に当て付くことはない。
【００２９】
また、本実施形態では、ガイド部材１０の注出端部１０Ｃ内に、押圧体３０の嵌入部３０ａが嵌入されるように嵌入口部１５が形成されている。嵌入口部１５は、押圧体３０の嵌入部３０ａの形状に対応するように下側に向けて先細る略三角錐状の内孔として形成されており、図３に示されるように、注出端部１０Ｃの上端開口１９を介して挿入される押圧体３０の嵌入部３０ａをほぼ隙間無く受けることができる形状に形成されている（図４、図５参照）。そして、この嵌入口部１５は、後述するように、嵌入された押圧体３０が押し上げられて移動した際、嵌入部３０ａとの間で内容物が通過する注出流路を確保するようになっている。
【００３０】
また、本実施形態において、ガイド部材１０の注出端部１０Ｃ内には、図３に示されるように、収容本体１ａ内の内容物を嵌入口部１５へと案内するためのガイド手段１３が設けられている。このガイド手段１３は、注出端部１０Ｃに一体的に形成することが可能であり、嵌入口部１５へ向かって次第に狭くなる略ドーム形状となる内面によって構成されている。また、このガイド手段１３を構成するドーム形状の内面の頂部は、接続通孔１７として、前記嵌入口部１５と連通している。
【００３１】
このように構成されるスパウト付き収容体１においては、まず、手で収容本体１ａを挟圧するなどして収容本体１ａに対して外圧を加えると、その外圧に伴って収容本体１ａ内の内容物が押し出される。押し出された内容物は、ガイド部材１０のガイド部１０Ａの案内流路１２を通じて移動し、ガイド手段１３を通じて、効率的に嵌入口部１５に達する。嵌入口部１５に達した内容物は、その押圧力によって、嵌入口部１５に嵌入された押圧体３０を押し上げる。これにより、嵌入口部１５が開放されて内容物の流路が確保されるとともに、内容物は、前記流路（隙間）３５内に移動することが可能となる。そして、押圧体３０の本体部３０ｂに形成された一対の押圧部３２の上面のテーパ部３２ａが、スリット２０ａの両サイドに当て付く。この際、上端閉塞膜２１は、弾性変形可能であることから、スリット２０ａ部分の両サイドが押し上げられて、スリット２０ａが開放される。
【００３２】
したがって、嵌入口部１５を通じて押し上げられた内容物は、図６に矢印で示されるように、押圧体３０の本体部３０ｂの上面に形成された隙間３５を介して、スリット２０ａから外部へと流出することが可能となる。なお、このときの内容物の注出量（流出量）については、収容本体１ａ内の内圧（挟圧力）を制御することにより調整可能である。
【００３３】
一方、収容本体１ａに対して加えていた外圧を解除すると、押圧体３０および弾性体２０（上端閉塞膜２１）に作用する押圧力がなくなることから、押圧体３０が下降して嵌入口部１５に嵌入し、嵌入口部１５が閉じられるとともに、弾性体２０の弾性復元力によって、スリット２０ａが閉じて注出流路が封止される。
【００３４】
以上のように、本実施形態のスパウト付き収容体１によれば、ガイド部材１０の注出端部１０Ｃに被着される弾性体２０は、収容本体１ａに対する外圧に伴う内容物の押圧力によって移動する押圧体３０により、弾性的に押圧されてそのスリット２０ａが開放され、スリット２０ａを通じて内容物の注出を可能にする。一方、収容本体１ａに対する外圧が解除されると、押圧体３０による押圧力が解除され、弾性体２０の弾性復元力によってスリット２０ａが閉じて注出流路が封止される。そのため、スパウト５を介して内容物を取り出す際に、外部から気体や液体などが収容本体１ａ内に流入して、内容物の性質が変化してしまうといった事態を防止できる。つまり、前記押圧時には、流路内部に内容物が飽和状態となっており、また、圧力減少と同時に閉塞機能が作用するため、外部からの流路内（収容本体１ａ内）への外気等の流入の防止が図れる。
【００３５】
また、本実施形態のスパウト付き収容体１によれば、スリット２０ａと嵌入口部１５とによって、内容物の流路開閉が２段階で行なわれるため（二重の流路開閉部が設けられているため）、シール性を高めて、収容本体１ａ内への外気等の流入を効果的に防止することができる。
【００３６】
更に、本実施形態のスパウト付き収容体１によれば、ガイド手段１３によって、内容物が嵌入口部１５へと確実に案内されるため、嵌入口部１５、ひいてはスリット２０ａを効率的に開放でき、内容物を無駄なく注出することが可能となる。
【００３７】
図７は、上述した実施形態におけるスパウト構造を既存の任意の収容容器に着脱自在に装着できる例を示しており、上述した実施形態のスパウト構造を有する独立した別体の栓体５０を、既存の任意の収容容器に対して着脱自在に装着できるようにしたものである。
【００３８】
具体的に、本実施形態の栓体５０は、所定の内容物を収容する収容容器４０の注出口部４０ａに着脱自在に螺着や圧入等によって取り付けられるようになっており、前述したスパウト５と同様の内部構造を有している。すなわち、栓体５０は、ガイド部材１０と、ガイド部材１０に取着されるスリット付きの弾性体２０と、弾性体２０を押圧してそのスリットを開放する押圧体とを備えている。この場合、ガイド部材１０の案内流路１２は、収容容器４０の内部に連通できるように下端が開放されている。なお、栓体５０には、螺着等によって閉塞キャップ６０が取り付けられても良い。
【００３９】
このような栓体５０によれば、前述した特徴を有する構造を、既存の任意の容器４０に自在に適用することが可能となる。
【００４０】
以上、本発明の実施の形態について説明したが、本発明は、上記した実施形態に限定されることはなく、種々変形することが可能である。例えば、押圧体３０は、前述した実施形態の形状に限定されず、弾性体２０のスリット２０ａが形成されている薄膜部（上端閉塞膜２１）を押圧変形して、スリットを開放できれば、その形状については、図に示す構成に限定されることはない。また、前述した実施形態では、ガイド手段１３が設けられているが、ガイド手段１３が設けられていなくても良い。更に、スリットの形状、スリットを開放させる押圧体の形状、スリットが形成される弾性体の形状や素材、及びその装着態様についても、適宜変形することが可能である。
【符号の説明】
【００４１】
１  スパウト付き収容体
１ａ  収容本体
５  スパウト
６，４０ａ  注出口部
７  取着部
８ａ，８ｂ  シート状部材
１０  ガイド部材
１０Ａ  ガイド部
１０Ｃ  注出端部
１２  案内流路
１３  ガイド手段
１５  嵌入口部
２０  弾性体
２０ａ  スリット
３０  押圧体
４０  収容容器
５０  栓体
Ｓ  収容部
【図１】
2011201555.tif 000003
【図２】
2011201555.tif 000004
【図３】
2011201555.tif 000005
【図４】
2011201555.tif 000006
【図５】
2011201555.tif 000007
【図６】
2011201555.tif 000008
【図７】
2011201555.tif 000009